(57)【要約】【課題】虫かごが倒れるということがなく、また虫かごが床等に落下しても、落下による外圧を分散させてその衝撃を吸収できる。【解決手段】虫かご１０は、中空の球体状に形成されかつ周壁１１ａ，１２ａに複数の通気孔１１ｂ，１２ｂが形成される。この虫かごは、円形の第１開口部１１ｃを有する第１半球体１１と、この第１開口部に相応する円形の第２開口部１２ｃを有する第２半球体１２とを備える。第１開口部に第２開口部を合せ第２半球体を第１半球体と合体させて、球体状に形成される。半球体用ヒンジ部１３が第２半球体を第１半球体に対して相対回転可能に連結することにより、第１及び第２開口部を合せて内部を閉止した閉止状態又は第１及び第２開口部をそれぞれ露出させて内部を開放した開放状態のいずれかに変更可能に構成される。上記閉止状態に保持可能な半球体用係止機構１４が第１及び第２半球体に設けられる。【選択図】図１
2020146004.tif 000002
【特許請求の範囲】
【請求項１】
中空の球体状に形成されかつ周壁に複数の通気孔が形成された虫かごであって、
円形の第１開口部を有する第１半球体と、
前記第１開口部に相応する円形の第２開口部を有し前記第１開口部に前記第２開口部を合せて前記第１半球体と合体させることにより球体状に形成される第２半球体と、
前記第２半球体を前記第１半球体に対して相対回転可能に連結し前記第１及び第２開口部を合せて内部を閉止した閉止状態又は前記第１及び第２開口部をそれぞれ露出させて内部を開放した開放状態のいずれかに変更可能な半球体用ヒンジ部と、
前記第１及び第２半球体に設けられ前記第１及び第２半球体を前記閉止状態に保持可能な半球体用係止機構と
を備えたことを特徴とする虫かご。
【請求項２】
前記半球体用ヒンジ部が、前記第１開口部周縁又は前記第２開口部周縁に前記第１半球体又は前記第２半球体と一体的に設けられた半球体用ヒンジフックと、前記第２開口部周縁又は前記第１開口部周縁に前記第２半球体又は前記第１半球体と一体的に設けられ前記半球体用ヒンジフックに係合可能な半球体用ヒンジピンとを有する請求項１記載の虫かご。
【請求項３】
前記半球体用係止機構が、前記第１開口部周縁又は前記第２開口部周縁に前記第１半球体又は前記第２半球体と一体的に設けられ半球体用係止部と、前記第２開口部周縁又は前記第１開口部周縁に前記第２半球体又は前記第１半球体と一体的に設けられ前記半球体用係止部が係止可能な半球体用被係止部とを有する請求項１記載の虫かご。
【請求項４】
前記第１半球体又は前記第２半球体のいずれ一方の湾曲面中央に前記第１開口部又は前記第２開口部より小さい第３開口部が形成され、前記第３開口部にこの第３開口部を開閉可能な蓋体が取付けられた請求項１記載の虫かご。
【発明の詳細な説明】
【技術分野】
【０００１】
本発明は、採集した鈴虫やコオロギ等の昆虫を一時的に入れるため又は昆虫とともに餌を入れて飼育するための虫かごに関するものである。
【背景技術】
【０００２】
従来、合成樹脂成形品などからなる草木体が、虫かご内に着脱自在に設けられた虫かごが開示されている（例えば、特許文献１（実用新案登録請求の範囲、第１頁第１６行〜第２頁第７行、第２頁第１０行〜同頁第１４行、第１図、第２図）参照。）。この虫かごは、中空直方体を対に分割してなる虫かご片体を開口一側縁にて開閉自在に枢着して構成される。また、一対の虫かご片体のそれぞれの開口縁に形成される掛止部により、一対の虫かご片体が閉じられた状態に維持される。更に、上記草木体は、合成樹脂成型品などにより草や木のように形成され、虫かご片体内壁の適所に突出形成される有底筒状部内に着脱自在に挿嵌固定される。
【０００３】
このように構成された虫かごでは、簡単な構造でありながら、草木体により虫かご内があたかも自然の一部であるかのような雰囲気が生じ、草木体に虫かご内の昆虫が止まるか又は身を隠すことができ、草木体が草木の代わりになる。
【先行技術文献】
【特許文献】
【０００４】
【特許文献１】実開昭５０−８６号公報
【発明の概要】
【発明が解決しようとする課題】
【０００５】
しかし、上記従来の特許文献１に示された虫かごでは、この虫かごが直方体状に形成されていることから、虫かごが倒れると、その衝撃を平面で直に受けてしまうため、虫かごが破損し易く、また虫かご内の虫にも被害が及ぶ不具合があった。また、上記従来の特許文献１に示された虫かごのように直方体状に形成され、かつこの虫かごに虫を出し入れするためのアクリル製の窓が付設されている場合がある。この場合、虫は四隅の角やアクリル製の窓に脚を引っ掛けることができず、虫の居場所が限られることから、虫同士の喧嘩が発生し易いという問題点があった。
【０００６】
また、従来の特許文献１に示された虫かごでは、この虫かごが直方体状に形成されており、平面が多いため、虫が仰向けになると、虫かごが仰向け状態の虫の脚から遠くに位置し、虫が脚を虫かごに引っ掛けることができず、起き上がり難いという問題点もあった。また、従来の特許文献１に示された虫かごでは、この虫かごが直方体状に形成されており、虫かごから虫を取り出すために虫かごをあけたときに、虫が虫かご内で飛ぶと、虫かごから逃げ出し易いという問題点もあった。更に、従来の特許文献１に示された虫かごでは、この虫かごが直方体状に形成されており、所定の容積を確保するために表面積が大きくなってしまう問題点もあった。
【０００７】
本発明の第１の目的は、虫かごが倒れるということがなく、また虫かごが床等に落下しても、落下による外圧を分散させてその衝撃を吸収できる、虫かごを提供することにある。本発明の第２の目的は、虫かご内での虫の居場所が限定されず、虫同士の喧嘩の発生を抑制できる、虫かごを提供することにある。本発明の第３の目的は、虫が仰向けになっても、起き上がり易い、虫かごを提供することにある。本発明の第４の目的は、第１及び第２半球体の内部を開放しても、虫かごから逃げ出し難い、虫かごを提供することにある。本発明の第５の目的は、同じ容積を確保するためにコンパクト化することができる、虫かごを提供することにある。
【課題を解決するための手段】
【０００８】
本発明の第１の観点は、図１〜図５に示すように、中空の球体状に形成されかつ周壁１１ａ，１２ａに複数の通気孔１１ｂ，１２ｂが形成された虫かご１０であって、円形の第１開口部１１ｃを有する第１半球体１１と、この第１開口部１１ｃに相応する円形の第２開口部１２ｃを有し第１開口部１１ｃに第２開口部１２ｃを合せて第１半球体１１と合体させることにより球体状に形成される第２半球体１２と、この第２半球体１２を第１半球体１１に対して相対回転可能に連結し第１及び第２開口部１１ｃ，１２ｃを合せて内部を閉止した閉止状態又は第１及び第２開口部１１ｃ，１２ｃをそれぞれ露出させて内部を開放した開放状態のいずれかに変更可能な半球体用ヒンジ部１３と、第１及び第２半球体１１，１２に設けられ第１及び第２半球体１１，１２を上記閉止状態に保持可能な半球体用係止機構１４とを備えたことを特徴とする。
【０００９】
本発明の第２の観点は、第１の観点に基づく発明であって、更に図１〜図５に示すように、半球体用ヒンジ部１３が、第１開口部１１ｃ周縁又は第２開口部周縁に第１半球体１１又は第２半球体と一体的に設けられた半球体用ヒンジフック１３ａと、第２開口部１２ｃ周縁又は第１開口部周縁に第２半球体１２又は第１半球体と一体的に設けられ半球体用ヒンジフック１３ａに係合可能な半球体用ヒンジピン１３ｂとを有することを特徴とする。
【００１０】
本発明の第３の観点は、第１の観点に基づく発明であって、更に図１〜図４に示すように、半球体用係止機構１４が、第１開口部１１ｃ周縁又は第２開口部周縁に第１半球体１１又は第２半球体と一体的に設けられた半球体用係止部１４ａと、第２開口部１２ｃ周縁又は第１開口部周縁に第２半球体１２又は第１半球体と一体的に設けられ半球体用係止部１４ａが係止可能な半球体用被係止部１４ｂとを有することを特徴とする。
【００１１】
本発明の第４の観点は、第１の観点に基づく発明であって、更に図９及び図１０に示すように、第１半球体３１又は第２半球体３２のいずれ一方の湾曲面中央に第１開口部３１ｃ又は第２開口部３２ｃより小さい第３開口部３２ｇが形成され、第３開口部３２ｇにこの第３開口部３２ｇを開閉可能な蓋体３６が取付けられたことを特徴とする。
【発明の効果】
【００１２】
本発明の第１の観点の虫かごでは、この虫かごを中空の球体状に形成したので、虫かごが倒れるということがなく、また虫かごが床等に落下しても、落下による外圧を分散させてその衝撃を吸収できる。また、虫かごが中空の球体状であるので、虫かご内の略全周面のどこにでも虫がその脚を引っ掛けることができ、虫の居場所が限定されず、虫同士の喧嘩の発生を抑制できる。また、虫かごが中空の球体状であるので、虫が仰向けになっても、仰向け状態の虫の脚の近くに虫かごが位置し、虫が脚を虫かごに比較的容易に引っ掛けることができ、起き上がり易い。また、第２半球体を第１半球体に対して相対回転可能に連結したので、第１半球体の開口面と第２半球体の開口面とのなす角度が虫かごから虫を出し入れできる程度の開口角度（例えば４５度）で第１及び第２半球体の内部を開放したときに、虫かごの周壁が虫に覆いかぶさる構造になっている。この結果、上記開口角度で第１及び第２半球体の内部を開放したときに、虫が虫かごから飛び出そうとしても、この虫が虫かごの周壁内面に接触し易いので、虫かごから逃げ出し難い。更に、虫かごが最小の表面積で最大の物を詰め込むことが可能な中空の球体状であるので、所定の容積を確保するために最小の表面積で済む。この結果、本発明の中空の球体状の虫かごは、従来の中空の直方体状の虫かごと比較して、同じ容積を確保するためにコンパクト化することができる。
【００１３】
本発明の第２の観点の虫かごでは、半球体用ヒンジピンを半球体用ヒンジフックに係合するという簡単な作業で、第２半球体を第１半球体に対して相対回転可能に連結でき、半球体用ヒンジピンを半球体用ヒンジフックから外すという簡単な作業で、第２半球体を第１半球体から分離できる。この結果、虫かごの組立及び分解が極めて容易である。
【００１４】
本発明の第３の観点の虫かごでは、半球体用係止部を半球体用被係止部に係止するという簡単な操作で、第１及び第２半球体の内部を閉止した閉止状態に保持でき、半球体用係止部を半球体用被係止部から外すという簡単な操作で、第１及び第２半球体の内部を開放した開放状態にすることができる。この結果、虫かごへの虫の格納及び解放が容易になる。
【００１５】
本発明の第４の観点の虫かごでは、第１半球体又は第２半球体のいずれ一方の湾曲面中央に第１開口部又は第２開口部より小さい第３開口部を形成し、第３開口部にこの第３開口部を開閉可能な蓋体を取付けたので、この蓋体を開放することにより、虫かごに虫を出し入れすることができる。この結果、虫かごへの虫の出し入れが容易になる。
【図面の簡単な説明】
【００１６】
【図１】本発明第１実施形態の虫かごの第１半球体と第２半球体とを半球体用ヒンジ部により連結する前の状態を示す分解斜視図である。
【図２】その第１半球体と第２半球体とを半球体用ヒンジ部により連結した状態であって第１及び第２半球体の内部を開放した開放状態を示す斜視図である。
【図３】その第１半球体と第２半球体とを半球体用ヒンジ部により連結した状態であって第１及び第２半球体の内部を開放した開放状態を示す縦断面図である。
【図４】その第１半球体と第２半球体とを半球体用ヒンジ部により連結しかつ半球体用係止機構により第１及び第２半球体の内部を閉止した閉止状態を示す縦断面図である。
【図５】その第１半球体と第２半球体とを半球体用ヒンジ部により連結する手順を示す要部拡大断面図である。
【図６】その第１半球体と第２半球体とを半球体用ヒンジ部により連結した状態であって第１及び第２半球体の内部を開放した開放状態を示す側面図である。
【図７】その第１半球体と第２半球体とを半球体用ヒンジ部により連結しかつ半球体用係止機構により第１及び第２半球体の内部を閉止した閉止状態を示す側面図である。
【図８】図７のＡ矢視図である。
【図９】本発明第２実施形態の虫かごを示す図４に対応する縦断面図である。
【図１０】その虫かごの蓋体を開いて第３開口部を開放した状態を示す図９に対応する縦断面図である。
【図１１】図９のＢ矢視図である。
【発明を実施するための形態】
【００１７】
次に本発明を実施するための形態を図面に基づいて説明する。
【００１８】
＜第１の実施の形態＞
図１〜図４に示すように、虫かご１０は、中空の球体状に形成され、かつ周壁１１ａ，１２ａに複数の通気孔１１ｂ，１２ｂが形成される。この虫かご１０は、円形の第１開口部１１ｃを有する第１半球体１１と、この第１開口部１１ｃに相応する円形の第２開口部１２ｃを有する第２半球体１２と、この第２半球体１２を第１半球体１１に対して相対回転可能に連結する半球体用ヒンジ部１３と、第１及び第２半球体１１，１２に設けられた半球体用係止機構１４とを備える。第１及び第２半球体１１，１２は、アクリルニトリル・ブタジエン・スチレン樹脂（ＡＢＳ樹脂）、ポリプロピレン樹脂（ＰＰ樹脂）等のプラスチックにより形成される。これらは射出成形により形成されることが好ましい。
【００１９】
第１半球体１１は、上記第１開口部１１ｃを形成する比較的幅の広い第１帯状リング１１ｄと、この第１帯状リング１１ｄから半球状に湾曲して設けられた第１周壁１１ａと、この第１周壁１１ａの略全面に長方形状、台形状及び三角形状にそれぞれ整列して形成された複数の第１通気孔１１ｂとを有する（図１及び図２）。また、第２半球体１２は、上記第２開口部１２ｃ形成する比較的幅の狭い第２帯状リング１２ｄと、この第２帯状リング１２ｄから半球状に湾曲して設けられた第２周壁１２ａと、この第２周壁１２ａに長方形状、台形状又は三角形状にそれぞれ整列して形成された複数の通気孔１２ｂとを有する。第２開口部１２ｃを第１開口部１１ｃに合せて、第２半球体１２を第１半球体１１と合体させることにより、球体状の虫かご１０が形成される（図４）。
【００２０】
一方、半球体用ヒンジ部１３は、第１及び第２開口部１１ｃ，１２ｃを合せて内部を閉止した閉止状態又は第１及び第２開口部１１ｃ，１２ｃをそれぞれ露出させて内部を開放した開放状態のいずれかに変更可能に構成される（図１〜図５）。また、半球体用ヒンジ部１３は、この実施の形態では、第１開口部１１ｃ周縁に第１半球体１１と一体的に設けられた一対の半球体用ヒンジフック１３ａ，１３ａと、第２開口部１２ｃ周縁に第２半球体１２と一体的に設けられた半球体用ヒンジフック１３ａ，１３ａに係合可能な一対の半球体用ヒンジピン１３ｂ，１３ｂとを有する。一対の半球体用ヒンジフック１３ａ，１３ａは、略逆Ｊ字状に曲げられた板状にそれぞれ形成される（図３〜図７）。また、一対の半球体用ヒンジフック１３ａ，１３ａは、第１開口部１１ｃの外周縁の接線方向に延びかつ第１開口部１１ｃに直交する平面に沿いかつ上記接線方向に間隔をあけてそれぞれ設けられる。一対の半球体用ヒンジピン１３ｂ，１３ｂは、それぞれ円柱状に形成される（図１及び図３〜図５）。また、一対の半球体用ヒンジピン１３ｂ，１３ｂは、第２開口部１２ｃの外周縁の接線方向に延びかつ第２開口部１２ｃに直交する平面に沿い、かつ上記接線方向に間隔をあけかつ上記接線方向に延びてそれぞれ設けられる。更に、一対の半球体用ヒンジピン１３ｂ，１３ｂの端部は、上記平面から突出しかつ上記接線方向に間隔をあけて設けられた３つの支持部１３ｃにより、上記平面から所定の隙間をあけてそれぞれ支持される（図１、図２及び図８）。これらの隙間に一対の半球体用ヒンジフック１３ａ，１３ａがそれぞれ遊挿されて、一対の半球体用ヒンジピン１３ｂ，１３ｂが一対の半球体用ヒンジフック１３ａ，１３ａに対して回動できるようになっている（図３〜図５）。なお、一対の半球体用ヒンジフック１３ａ，１３ａの湾曲する部分の内面の曲率半径の中心線が第１半球体１１の開口面を含む平面内に位置し、かつ一対の半球体用ヒンジピン１３ｂ，１３ｂの中心線が第２半球体１２の開口面を含む平面内に位置することが好ましい。これにより第１半球体１１の開口面と第２半球体１２の開口面とのなす角度（開口角度）が０度以上１８０度未満では、一対の半球体用ヒンジピン１３ｂ，１３ｂが一対の半球体用ヒンジフック１３ａ，１３ａから外れず、上記角度が１８０度以上になったときに、一対の半球体用ヒンジピン１３ｂ，１３ｂを一対の半球体用ヒンジフック１３ａ，１３ａから外れるようにすることができる。
【００２１】
一方、半球体用係止機構１４は、第１及び第２半球体１１，１２を上記閉止状態に保持可能に構成される（図４）。また、半球体用係止機構１４は、この実施の形態では、第１開口部１１ｃ周縁に第１半球体１１と一体的に設けられた半球体用係止部１４ａと、第２開口部１２ｃ周縁に第２半球体１２と一体的に設けられ半球体用係止部１４ａが係止可能な半球体用被係止部１４ｂとを有する（図１〜図４）。半球体用係止部１４ａは、第１開口部１１ｃ周縁のうち一対の半球体用ヒンジフック１３ａ，１３ａとは反対側の周縁に設けられる。具体的には、第１開口部１１ｃ周縁のうち一対の半球体用ヒンジフック１３ａ，１３ａとは反対側の外周面に、円板部材１１ｅがその上部を第１帯状リング１１ｄより上方に突出させた状態で第１半球体１１と一体的に設けられる。そして、この円板部材１１ｄの上部内面に爪状の半球体用係止部１４ａが突設される。また、半球体用被係止部１４ｂは、第２開口部１２ｃ周縁のうち一対の半球体用ヒンジピン１３ｂ，１３ｂとは反対側の周縁に設けられる。具体的には、第２開口部１２ｃ周縁のうち一対の半球体用ヒンジピン１３ｂ，１３ｂとは反対側の外周面に凹部１２ｅが形成され、この凹部１２ｅの中央に上記半球体用係止部１４ａが係止可能な角孔状の半球体用被係止部１４ｂが設けられる。なお、図１、図２及び図６〜図８中の符号１６は、第１半球体１１の外周面に設けられた突起である。図８に詳しく示すように、突起１６，１６は第１半球体１１の外周面に左右対称に２つ設けられ、これらの突起１６，１６には通孔１６ａ，１６ａがそれぞれ形成される。これらの突起１６，１６には、紐（図示せず）が挿通される。そして、この紐の両端を一つに結んでリング状に形成することにより、昆虫採集時にこの紐を肩に掛けて虫かご１０を持ち歩くことができ、また室内の壁面に取付けられ鉤（図示せず）に紐を掛けて虫かご１０を吊すことができるようになっている。
【００２２】
このように構成された虫かご１０の組立手順を説明する。先ず、第１半球体１１の開口面及び第２半球体１２の開口面を上方に向けた状態で、第１半球体１１の半球体用ヒンジフック１３ａの下方に第２半球体１２の半球体用ヒンジピン１３ｂを位置させる（図５（ａ））。次に、第２半球体１２の半球体用ヒンジピン１３ｂを図５（ａ）の破線矢印の方向に移動して第１半球体１１の半球体用ヒンジフック１３ａに係合させる（図５（ｂ））。更に、第２半球体１２を第１半球体１１に対して半球体用ヒンジ部１３を中心に図５（ｂ）の一点鎖線矢印の方向に回転させる（図５（ｃ））。これにより、第２半球体１２は第１半球体１１に対して半球体用ヒンジ部１３を中心に相対回転可能になる。また、第１半球体１１の開口面及び第２半球体１２の開口面を上方に向けなければ、即ち第１半球体１１の開口面と第２半球体１２の開口面とのなす角度を１８０度にしなければ、半球体用ヒンジピン１３ｂが半球体用ヒンジフック１３ａから外れることはない。
【００２３】
このように構成された虫かご１０の使用方法を説明する。第１半球体１１と第２半球体１２を半球体用ヒンジ部１３により係合した後（図２及び図３）、第１及び第２開口部１１ｃ，１２ｃを合せて、第１半球体１１の半球体用係止部１４ａを第２半球体１２の半球体用被係止部１４ｂに係止すると（図３）、第１及び第２半球体１１，１２の内部が閉止された閉止状態に保持される。この虫かご１０は中空の球体状であるので、虫かご１０が倒れるということがなく、また虫かご１０が床等に落下しても、落下による外圧を分散させてその衝撃を吸収できる。この結果、虫かご１０に意図しない衝撃が作用しても、破損し難い。また、虫かご１０が中空の球体状であり、虫かご１０の略全周面に複数の通気孔１１ｂ，１２ｂが形成されているので、虫はこれらの通気孔１１ｂ，１２ｂの縁のどこにでも脚を引っ掛けることができる。この結果、虫の居場所が限定されないので、虫同士の喧嘩の発生を抑制できる。また、虫かご１０内で虫が仰向けになっても、仰向け状態の虫の脚の近くに、虫に近付く方向に湾曲する虫かご１０が位置するので、虫がその脚を虫かご１０の通気孔１１ｂ，１２ｂの縁に比較的容易に引っ掛けることができる。この結果、仰向けになった虫は容易に起き上がることができる。
【００２４】
また、第１及び第２半球体１１，１２の内部を閉止した閉止状態の虫かご１０から虫を取り出すとき、又は虫が入っている閉止状態の虫かご１０に更に虫を入れるとき、第２半球体１２の半球体用被係止部１４ｂの近傍を押込む。これにより第２半球体１２が弾性変形して、第２半球体１２の半球体用被係止部１４ｂが第１半球体１１の半球体用係止部１４ａから外れる。この状態で第２半球体１２を第１半球体１１に対して半球体用ヒンジ部１３を中心に相対的に回転させると、第１及び第２半球体１１，１２の内部が開放される。このとき、第１半球体１１の開口面と第２半球体１２の開口面とのなす角度が虫かご１０から虫を出し入れできる程度の開口角度（例えば４５度）で第１及び第２半球体１１，１２の内部を開放したときに、虫かご１０の第１及び第２周壁１１ａ，１２ａが虫に覆いかぶさる構造になっている。この結果、上記開口角度で第１及び第２半球体１１，１２の内部を開放したときに、虫が虫かご１０から飛び出そうとしても、この虫が虫かご１０の第１周壁１１ａ内面又は第２周壁１２ａ内面に接触し易いので、虫は虫かご１０から逃げ出し難い。更に、虫かご１０が最小の表面積で最大の物を詰め込むことが可能な中空の球体状であるので、所定の容積を確保するために最小の表面積で済む。この結果、本発明の中空の球体状の虫かご１０は、従来の中空の直方体状の虫かごと比較して、同じ容積を確保するためにコンパクト化することができる。
【００２５】
一方、半球体用ヒンジピン１３ｂを半球体用ヒンジフック１３ａに係合するだけで、第２半球体１２を第１半球体１１に対して相対回転可能に連結でき、半球体用ヒンジピン１３ｂを半球体用ヒンジフック１３ａから外すだけで、第２半球体１２を第１半球体１１から分離できる。この結果、第１及び第２半球体１１，１２の連結及びその解除を極めて容易に行うことができるので、虫かご１０への虫の格納及び解放が容易になる。また、半球体用係止部１４ａを半球体用被係止部１４ｂに係止するだけで、第１及び第２半球体１１，１２の内部を閉止する閉止状態に保持でき、半球体用係止部１４ａを半球体用被係止部１４ｂから外すだけで、第１及び第２半球体１１，１２の内部を開放する開放状態にすることができる。この結果、第１及び第２半球体１１，１２の閉止状態又は開放状態への変更を極めて容易に行うことができる。
【００２６】
一方、中空の球体状に形成された虫かご１０は、音を全方位に拡散した後、反射して戻ってくることにより、独自の魅力的な音場を作るので、この虫かご１０内の鈴虫など鳴く虫の音がより綺麗に聞こえる。また、中空の球体状に形成された虫かご１０の周りには、虫かご１０の外周面に沿って空気がスムーズに流れ、自然対流が発生することにより、冷暖房効果が高まるので、虫の生息に適した環境になり、虫を長生きさせることができる。更に、球体状の虫かご１０は、デザイン性に優れているため、インテリアとしても観者の目を引く。
【００２７】
＜第２の実施の形態＞
図９〜図１１は本発明の第２の実施の形態を示す。この実施の形態では、第２半球体３２の湾曲面中央に第２開口部３２ｃより小さい第３開口部３２ｇが形成され、第３開口部３２ｇにこの第３開口部３２ｇを開閉可能な蓋体３６が取付けられる。この実施の形態では、第１半球体３１は、複数の第１通気孔３１ｂが形成された第１周壁３１ａと、第１開口部３１ｃを形成するために第１周壁３１ａと一体的に形成された比較的幅の広い第１帯状リング３１ｄとを有する（図９〜図１０）。第２半球体３２は、複数の第２通気孔３２ｂが形成された第２周壁３２ａと、第２周壁３２ａと一体的に形成された比較的幅の広い第２帯状リング３２ｄと、この第２帯状リング３２ｄとは別に形成され第２開口部３２ｃを形成するために第２帯状リング３２ｄに係合するリング部材３２ｅとを有する。リング部材３２ｅは、第２帯状リング３２ｄに形成された複数の角孔３２ｈに、リング部材３２ｅの爪３２ｉを引っ掛けることにより、リング部材３２ｅが第２帯状リング３２ｄに係合するようになっている（図９及び図１０）。また、第１半球体３１の第１帯状リング３１ｄの第１開口部３１ｃと第２半球体３２のリング部材３２ｅの第２開口部３２ｃとを合せることにより、第１半球体３１と第２半球体３２とが合体されるように構成される。なお、図９及び図１０中の符号３２ｆはリング部材３２ｅと一体的に形成された円板部材である。また、第１及び第２半球体３１，３２は、アクリルニトリル・ブタジエン・スチレン樹脂（ＡＢＳ樹脂）、ポリプロピレン樹脂（ＰＰ樹脂）等のプラスチックにより形成される。更に、リング部材３２ｅは、ポリカーボネート樹脂（ＰＣ樹脂）、アクリルニトリル・ブタジエン・スチレン樹脂（ＡＢＳ樹脂）等のプラスチックにより形成される。
【００２８】
一方、第１及び第２開口部３１ｃ，３２ｃを合せて内部を閉止した閉止状態又は第１及び第２開口部３１ｃ，３２ｃをそれぞれ露出させて内部を開放した開放状態のいずれかに変更可能な半球体用ヒンジ部３３は、第１開口部３１ｃ周縁に第１半球体３１の第１帯状リング３１ｄと一体的に設けられた半球体用ヒンジフック３３ａと、第２開口部３２ｃ周縁に第２半球体３２のリング部材３２ｅと一体的に設けられ半球体用ヒンジフック３３ａに係合可能な半球体用ヒンジピン３３ｂとを有する（図９及び図１０）。また、第１及び第２半球体３１，３２に設けられ第１及び第２半球体３１，３２を上記閉止状態に保持可能な半球体用係止機構３４は、第２開口部３２ｃ周縁に第２半球体３２のリング部材３２ｅの円板部材３２ｆと一体的に設けられた半球体用係止部３４ａと、第１開口部３１ｃ周縁に第１半球体３１と一体的に設けられ半球体用係止部３４ａが係止可能な半球体用被係止部３４ｂとを有する。
【００２９】
図１１に示すように、第３開口部３２ｇは、この実施の形態では、円形状に形成される。第３開口部３２ｇの周縁には、所定の間隔をあけて外方に突出する一対の枢着用起立片３７ａがそれぞれ形成される。また、第３開口部３２ｇの周縁には、第３開口部３２ｃを挟んで一対の枢着用起立片３７ａに対向するように一対の係止用起立片３８ａがそれぞれ形成される。更に、一対の枢着用起立片３７ａには蓋用ヒンジ孔３７ｂがそれぞれ形成され、一対の係止用起立片３８ａには互いに対向する面に蓋用係止ピン３８ｂがそれぞれ突設される。
【００３０】
蓋体３６は、この蓋体３６により第３開口部３２ｇを閉止したときに第２半球体３２の湾曲面になだらかに連なって湾曲する円板状に形成される（図９〜図１１）。また、蓋体３６の外周縁には、両端が上記一対の蓋用ヒンジ孔３７ｂに係合する単一の蓋体用ヒンジピン３７ｃが蓋体３６と一体的に形成される。更に、蓋体３６の外周縁には、この蓋体３６を挟んで蓋用ヒンジピン３７ｃに対向する位置に単一の蓋用係止突片３８ｃが蓋体３６と一体的に形成される（図１１）。この蓋用係止突片３８ｃの幅は一対の係止用起立片３８ａの内幅より狭くかつ一対の蓋用係止ピン３８ｂの先端間の間隔より広く形成される。上記一対の枢着用起立片３７ａ、一対の蓋用ヒンジ孔３７ｂ及び単一の蓋用ヒンジピン３７ｃにより蓋用ヒンジ部３７が構成され、上記一対の係止用起立片３８ａ、一対の蓋用係止ピン３８ｂ及び単一の蓋用係止突片３８ｃにより蓋用係止機構３８が構成される。なお、蓋体３６は、ポリカーボネート樹脂（ＰＣ樹脂）、アクリルニトリル・ブタジエン・スチレン樹脂（ＡＢＳ樹脂）等のプラスチックにより形成される。上記以外は第１の実施の形態と同一に構成される。
【００３１】
このように構成された虫かご３０では、第３開口部３２ｇを閉止する蓋体３６を開放することにより、虫かご３０に虫を出し入れすることができるので、虫かご３０への虫の出し入れが第１の実施の形態の虫かごより容易になる。上記以外の動作は、第１の実施の形態の動作と略同様であるので、繰返しの説明を省略する。
【００３２】
なお、上記第１の実施の形態では、半球体用ヒンジ部の半球体用ヒンジフックを第１開口部周縁に第１半球体と一体的に設け、半球体用ヒンジピンを第２開口部周縁に第２半球体と一体的に設けたが、半球体用ヒンジ部の半球体用ヒンジフックを第２開口部周縁に第２半球体と一体的に設け、半球体用ヒンジピンを第１開口部周縁に第１半球体と一体的に設けてもよい。また、上記第２の実施の形態では、半球体用ヒンジ部の半球体用ヒンジフックを第１開口部周縁に第１半球体と一体的に設け、半球体用ヒンジピンを第２開口部周縁に第２半球体のリング部材と一体的に設けたが、半球体用ヒンジ部の半球体用ヒンジフックを第２開口部周縁に第２半球体のリング部材と一体的に設け、半球体用ヒンジピンを第１開口部周縁に第１半球体と一体的に設けてもよい。
【００３３】
また、上記第１の実施の形態では、半球体用係止機構の半球体用係止部を第１開口部周縁に第１半球体と一体的に設け、半球体用被係止部を第２開口部周縁に第２半球体と一体的に設けたが、半球体用係止機構の半球体用係止部を第２開口部周縁に第２半球体と一体的に設け、半球体用被係止部を第１開口部周縁に第１半球体と一体的に設けてもよい。また、上記第２の実施の形態では、半球体用係止機構の半球体用係止部を第２開口部周縁に第２半球体のリング部材と一体的に設け、半球体用被係止部を第１開口部周縁に第１半球体と一体的に設けたが、半球体用係止機構の半球体用係止部を第１開口部周縁に第１半球体と一体的に設け、半球体用被係止部を第２開口部周縁に第２半球体のリング部材と一体的に設けてもよい。
【００３４】
また、上記第２の実施の形態では、蓋体により開閉されかつ第２開口部より小さい第３開口部を第２半球体の湾曲面中央に形成したが、蓋体により開閉されかつ第１開口部より小さい第３開口部を第１半球体の湾曲面中央に形成してもよい。更に、上記第２の実施の形態では、第３開口部を円形状に形成し、蓋体をこの蓋体により第３開口部を閉止したときに第２半球体の湾曲面になだらかに連なって湾曲する円板状に形成したが、第３開口部を四角形状、五角形状又はその他の多角形状に形成し、蓋体をこの蓋体により第３開口部を閉止したときに第２半球体の湾曲面になだらかに連なって湾曲する四角板状、湾曲する五角板状又はその他の湾曲する多角板状に形成してもよい。
【符号の説明】
【００３５】
１０，３０  虫かご
１１，３１  第１半球体
１１ａ，３１ａ  第１周壁
１１ｂ，３１ｂ  第１通気孔
１１ｃ，３１ｃ  第１開口部
１２，３２  第２半球体
１２ａ，３２ａ  第２周壁
１２ｂ，３２ｂ  第２通気孔
１２ｃ，３２ｃ  第２開口部
１３，３３  半球体用ヒンジ部
１３ａ，３３ａ  半球体用ヒンジフック
１３ｂ，３３ｂ  半球体用ヒンジピン
１４，３４  半球体用係止機構
１４ａ，３４ａ  半球体用係止部
１４ｂ，３４ｂ  半球体用被係止部
３２ｇ  第３開口部
３６  蓋体
【図１】
2020146004.tif 000003
【図２】
2020146004.tif 000004
【図３】
2020146004.tif 000005
【図４】
2020146004.tif 000006
【図５】
2020146004.tif 000007
【図６】
2020146004.tif 000008
【図７】
2020146004.tif 000009
【図８】
2020146004.tif 000010
【図９】
2020146004.tif 000011
【図１０】
2020146004.tif 000012
【図１１】
2020146004.tif 000013